(57)【要約】【課題】貯留タンク１０ｂに設置されているフロートスイッチ１５の設定水位Ｌにおける不安定なＯＮ−ＯＦＦ動作に起因して、短時間に繰り返しなされる電解生成水の生成運転の停止−再開を防止して、特性変動の大きい電解生成水の貯留タンク１０ｂ内への導入量を低減する。【解決手段】電解槽１０ａにて生成された電解生成水を受け入れて収容する貯留タンク１０ｂを備え、貯留タンク１０ｂ内の電解生成水が設定水位Ｌを下回ったとき電解生成水の生成運転を再開する形式の電解水生成装置であって、貯留タンク１０ｂ内の電解生成水が設定水位Ｌより低下したときに再開される電解生成水の生成運転は、貯留タンク１０ｂ内の電解生成水の水位が設定水位Ｌを所定量上回るまで継続される設定としている。【選択図】  図１
2006341169.tif 000002
【特許請求の範囲】
【請求項１】
被電解水を電解する電解槽と、前記電解槽にて生成される電解生成水を受け入れて収容する貯留タンクと、前記貯留タンク内に配設されて同貯留タンク内に収容されている電解生成水の設定水位を検出する水位センサを備え、前記貯留タンク内の電解生成水が設定水位より低下したとき電解生成水の生成運転を再開して前記貯留タンク内に電解生成水を補給する電解運転方式を採る電解水生成装置であり、前記貯留タンク内の電解生成水が設定水位より低下したときに再開される電解生成水の生成運転は、前記貯留タンク内の電解生成水の水位を前記水位センサが検出し、かつ、電解運転開始初期に生成される不安定な特性の電解生成水に比較して安定した特性の電解生成水の割合が十分多くなるように設定された設定時間が経過するまで継続することを特徴とする電解水生成装置。
【請求項２】
請求項１に記載の電解水生成装置において、前記貯留タンク内に配設される水位センサは、電解生成水の設定水位で動作するフロートスイッチであることを特徴とする電解水生成装置。
【請求項３】
請求項１に記載の電解水生成装置において、再開される電解生成水の生成運転の前記設定時間は、電解運転開始初期の不安定な特性の電解生成水が生成される時間に対して５倍以上の時間とすることを特徴とする電解水生成装置。
【請求項４】
請求項１〜３のいずれか一項に記載の電解水生成装置において、電解生成水の生成運転中に電源からの電力の供給が一旦停止されて電解生成水の生成運転が一旦停止した場合には、その後に電力の供給が復帰した際には、一旦停止した電解生成水の生成運転を復帰させることを特徴とする電解水生成装置。
【発明の詳細な説明】
【技術分野】
【０００１】
本発明は、被電解水を電解して、電解生成水を生成するための電解水生成装置に関する。
【背景技術】
【０００２】
電解水生成装置の一形式として、被電解水を電解する電解槽と、前記電解槽にて生成される電解生成水を受け入れて貯留する貯留タンクと、前記貯留タンク内に配設されて同貯留タンク内に収容されている電解生成水の設定水位を検出する水位センサを備え、前記貯留タンク内の電解生成水が設定水位より低下したとき電解生成水の生成運転を再開して、前記貯留タンク内に電解生成水を補給する電解運転方式を採る電解水生成装置がある（特許文献１を参照）。
【０００３】
当該形式の電解水生成装置においては、電解生成水の生成運転にて生成された電解生成水は貯留タンク内に順次導入されて収容されるが、貯留タンク内に収容されている電解生成水の水位が設定水位に達したときには、水位センサが、貯留タンク内の電解生成水の水位が設定水位に達したことを検出して、電解生成水の生成運転を停止すべく機能する。すなわち、当該形式の電解水生成装置における電解生成水の生成運転の停止および再開は、水位センサの動作点水位での動作（ＯＮ，ＯＦＦ動作）によって制御される。
【特許文献１】特開２０００−５７５０号公報
【発明の開示】
【発明が解決しようとする課題】
【０００４】
ところで、当該形式の電解水生成装置においては、貯留タンク内に収容されている電解生成水は、ユーザが貯留タンク内から所望量注出して消費されるが、この際、貯留タンク内に収容されている電解生成水の水位は一気に低下することから、電解生成水の生成運転が直ちに再開される。これにより、貯留タンク内には、生成される電解生成水が順次導入される結果、貯留タンク内に収容されている電解生成水の水位は漸次上昇し、設定水位に達した時点で、電解生成水の生成運転が停止されることになる。この場合、貯留タンク内の電解生成水の水位は水位センサの動作点付近にあり、電解生成水の水位が少しでも上下に変動すると水位センサは動作（ＯＮ，ＯＦＦ動作）を繰り返すことになって、電解生成水の生成運転が短い時間に繰り返し行われることになる。
【０００５】
当該形式の電解水生成装置の電解運転においては、電解生成水の生成初期にあっては、設定された特性より低い品質の電解生成水が生成され、時間の経過とともに設定された特性の品質の電解生成水となる。このため、電解生成水の生成運転が短時間に繰り返し行われる場合には、設定された特性より品質の低い電解生成水が多く補給されることになり、この結果、貯留タンク内に貯留されている電解生成水は、設定された十分な特性の電解生成水でなくなるおそれがある。本発明の目的は、このような問題に対処することにある。
【課題を解決するための手段】
【０００６】
本発明は、電解水生成装置に関する。本発明が適用対象とする電解水生成装置は、被電解水を電解する電解槽と、前記電解槽にて生成される電解生成水を受け入れて収容する貯留タンクと、前記貯留タンク内に配設されて同貯留タンク内に収容されている電解生成水の設定水位を検出する水位センサを備え、前記貯留タンク内の電解生成水が設定水位より低下したとき電解生成水の生成運転を再開して、前記貯留タンク内に電解生成水を補給する電解運転方式を採る形式の電解水生成装置である。
【０００７】
しかして、本発明に係る電解水生成装置においては、前記貯留タンク内の電解生成水が設定水位より低下したときに再開される電解生成水の生成運転を、前記貯留タンク内の電解生成水の水位を前記水位センサが検出し、かつ、電解運転開始初期に生成される不安定な特性の電解生成水に比較して安定した特性の電解生成水の割合が十分多くなるように設定された設定時間が経過するまで継続させることを特徴とするとするものである。
【０００８】
本発明に係る電解水生成装置においては、前記貯留タンク内に配設される水位センサとして、電解生成水の設定水位で動作するフロートスイッチを採用することができ、また、再開される電解生成水の生成運転の前記設定時間を、電解運転開始初期の不安定な特性の電解生成水が生成される時間に対して５倍以上の時間とすることができる。また、本発明に係る電解水生成装置においては、電解生成水の生成運転中に電源からの電力の供給が一旦停止されて電解生成水の生成運転が一旦停止した場合には、その後に電力の供給が復帰した際には、一旦停止した電解生成水の生成運転は復帰させるようにすることができる。
【発明の効果】
【０００９】
所望の場所に設置されている当該形式の電解水生成装置は、電源が投入されてユーザが使用し得る状態にあり、また、貯留タンク内には、設定された所定量の電解生成水が収容されている。このため、ユーザは所望量の電解生成水を採取すべく、電解生成水の注出操作（例えばスイッチ操作）を行うと、貯留タンク内に収容されている電解生成水は順次注出され、この際、貯留タンク内の電解生成水の水位は一気に低下する。このため、貯留タンク内に配設されている水位センサは、貯留タンク内の電解生成水の水位が設定水位より低下したことを検出して、電解生成水の生成運転を再開すべく機能し、電解生成水の生成運転が直ちに再開される。これにより、貯留タンク内には、生成される電解生成水が順次導入されて補給される結果、貯留タンク内に収容されている電解生成水の水位は漸次上昇し、設定水位に達すると、電解生成水の生成運転が停止されることになる。
【００１０】
この場合、貯留タンク内の電解生成水の水位は水位センサの動作点付近にあり、電解生成水の水位が少しでも上下に変動すると水位センサは動作（ＯＮ，ＯＦＦ動作）を繰り返すことになって、電解生成水の生成運転が短い時間に繰り返し行われることになる。しかしながら、本発明に係る電解水生成装置においては、貯留タンク内の電解生成水が設定水位より低下したときに再開される電解生成水の生成運転を、貯留タンク内の電解生成水の水位を前記水位センサが検出し、かつ、電解運転開始初期に生成される不安定な特性の電解生成水に比較して安定した特性の電解生成水の割合が十分多くなるように設定された設定時間が経過するまで継続させるようにしている。
【００１１】
換言すれば、本発明に係る電解水生成装置では、再開される電解生成水の生成運転を、所定時間継続するように設定し、当該設定時間を、電解運転開始初期に生成される不安定な特性の電解生成水に比較して安定した特性の電解生成水の割合が十分多くなる時間としている。このため、貯留タンク内における電解生成水の水位の頻繁な変動に起因する、短時間における繰り返しの電解生成水の生成運転を防止することができる。これにより、一度の再開運転にて貯留タンクに補給される電解生成水では、安定した特性の電解生成水の割合が十分に多くなり、このため、貯留タンク内に貯留されている電解生成水は、設定された十分な特性の電解生成水となる。
【００１２】
また、従来のこの種形式の電解水生成装置においては、電解生成水の生成運転中に例えば停電等により、電源からの電力の供給が一旦停止された場合、停電の解除等により、電解水生成装置に対する電力の供給が復帰しても、電解生成水の生成運転の指令がない限り、電解生成水の生成運転の復帰はあり得ない。これに対して、本発明に係る電解水生成装置においては、停電等による電力の供給の停止により途中で停止された電解生成水の生成運転を、停電の解除等による電力の供給の復帰時に合わせて復帰させるようにしている。このため、当該電解水生成装置によれば、ユーザや保守管理者による電解生成水の生成運転の再開操作を要することなく、電解生成水の生成運転を再開して貯留タンク内への補給を行い、貯留タンク内の電解生成水を所定量確保することができる。
【発明を実施するための最良の形態】
【００１３】
本発明は、被電解水を電解する電解槽と、電解槽にて生成された電解生成水を受け入れて収容する貯留タンクと、貯留タンク内に配設されて貯留タンク内に収容されている電解生成水の設定水位を検出する水位センサを備える形式の電解水生成装置であって、貯留タンク内の電解生成水が設定水位より低下したとき電解生成水の生成運転を再開する電解運転方式を採る電解水生成装置である。図１には、本発明の一実施形態に係る電解水生成装置を模式的に示している。当該電解水生成装置は、有隔膜電解槽１０ａ、貯留タンク１０ｂ、濃塩水タンク１０ｃ、および、これらを連結する水系回路２０ａを備えるとともに、図２に示す制御装置２０ｂを備えている。制御装置２０ｂは、当該電解水生成装置の電解運転を制御する。
【００１４】
有隔膜電解槽１０ａは、槽本体１１と、槽本体１１内を２つの区画室に区画するイオン透過性の隔膜１２と、各区画室に配設されて各区画室を各電解室Ｒ1，Ｒ2に形成する一対の電極１３ａ，１３ｂからなる。各電極１３ａ，１３ｂは、ＤＣ電源１３ｃに接続されていて、各電極１３ａ，１３ｂには、制御装置２０ｂにより、所定圧の電圧が印加されるように構成されている。また、電解運転時の電解電流については、制御装置２０ｂは、電流センサ１３ｄから出力される検出信号に基づいて、設定された一定電流になるように制御する。
【００１５】
貯留タンク１０ｂは、有隔膜電解槽１０ａの電解室Ｒ1で生成された電解生成水を受け入れて収容するもので、電解生成水を貯留するタンク本体１４と、タンク本体１４内に配設されているフロートスイッチ１５を備えていて、タンク本体１４には、タンク本体１４内に収容されている電解生成水を注出するための注出パイプ１６が設けられている。抽出パイプ１６の途中には、手動の開閉バルブ１６ａが介装されていて、電解生成水のユーザは、開閉バルブ１６ａを開成操作することにより、タンク本体１４内に貯留されている電解生成水を、注出パイプ１６を通して採取し得るようになっている。
【００１６】
フロートスイッチ１５は、設定水位（Ｌ）を検出する水位せンサであって、貯留タンク１０ｂのタンク本体内にて、その上方側部に配設されている。当該電解水生成装置においては、貯留タンク１０ｂ内に収容される電解生成水の上限の水位が設定されていて、この上限の水位を設定水位Ｌと称している。フロートスイッチ１５は、電解生成水の設定水位Ｌの近傍に位置するように配設されていて、貯留タンク１０ｂ内に収容されている電解生成水の水位が設定水位Ｌに達するとＯＮ動作し、また、電解生成水の水位が設定水位Ｌを所定量下回るとＯＦＦ動作する。フロートスイッチ１５は、これらのＯＮ−ＯＦＦの動作を検出信号として制御装置２０ｂに出力する。制御装置２０ｂは、これらの検出信号に基づいて、後述する電解生成水の生成運転を停止しまたは再開するように、当該電解水生成装置の電解運転を制御する。
【００１７】
当該電解水生成装置を構成する濃塩水タンク１０ｃは、食塩の飽和水溶液等、高濃度の食塩水を収容するものである。高濃度食塩水は、被電解水を調製する一原水であり、他の原水である水道水により希釈されて、被電解水である希薄食塩水を調製する。水系回路２０ａは、第１供給管路２１ａ、第２供給管路２１ｂおよび第３供給管路２１ｃを備えている。第１供給管路２１ａは、水道管に連結されていて、水道水を第３供給管路２１ｃに導入すべく機能する。また、第２供給管路２１ｂは、濃塩水タンク１０ｃに連結されていて、高濃度食塩水を第３供給管路２１ｃに導入すべく機能する。
【００１８】
第１供給管路２１ａは、その途中に介装されているウォータバルブ２２ａを備え、第２供給管路２１ｂは、その途中に介装されている電磁定量ポンプ２２ｂを備えていて、これら両供給管路２１ａ，２１ｂは第３供給管路２１ｃに連結されている。また、第３供給管路２１ｃは、下流側に一対の分岐管路部を備えていて、各分岐管路部にて槽本体１１内に形成されている各電解室Ｒ１，Ｒ2の上流側に連結されている。
【００１９】
電磁定量ポンプ２２ｂは、外部から付与されるパルスにより、高濃度食塩水を吐出すべく駆動するもので、パルスの周波数（ストローク）に応じて高濃度食塩水の吐出量が設定される。電磁定量ポンプ２２ｂの駆動動作およびウォータバルブ２２ａの開閉動作は、制御装置２０ｂにて制御される。当該電解水生成装置における電解生成水の生成運転では、ウォータバルブ２２ａが開成されるとともに、電磁定量ポンプ２２ｂが駆動されて、第３供給管路２１ｃへ所定量の水道水と高濃度食塩水とが継続して導入される。第３供給管路２１ｃ内では、導入された水道水と高濃度食塩水はその分岐管路部に達する間に均一に混合して、設定された希薄食塩水に調製され、調製された希薄食塩水は被電解水として、有隔膜電解槽１０ａの各電解室Ｒ1，Ｒ2に供給される。
【００２０】
有隔膜電解槽１０ａにおいては、各電解室Ｒ1，Ｒ2の下流側に第１流出管路２３ａおよび第２流出管路２３ｂが連結されている。第１流出管路２３ａは、貯留タンク１０ｂのタンク本体１４内の上部に臨んでいて、電解室Ｒ1にて生成される電解生成水を貯留タンク１０ｂのタンク本体１４内に導入する。また、第２流出管路２３ｂは、図示しない貯留タンクまたは排水溝に臨み、電解室Ｒ2で生成される電解生成水を系外へ流出させる。当該電解水生成装置においては、電解運転時には、制御装置２０ｂは、ウォータバルブ２２ａの開閉制御、電磁定量ポンプ２２ｂの駆動制御、各電極１３ａ，１３ｂに対する電圧の印加および電解電流の制御、フロートスイッチ１５からの各検出信号に基づく電解生成水の生成運転の停止・再開の制御を行う。
【００２１】
当該電解水生成装置が所望の場所に設置されている状態では、電源が投入されてユーザが使用し得る状態にあり、また、貯留タンク１０ｂ内には、前回の電解運転によって、設定された所定量の電解生成水が収容された状態にある。このため、ユーザは所望量の電解生成水を採取すべく、電解生成水の注出操作（例えば開閉バルブ１６ｂの開放操作）を行うと、貯留タンク１０ｂ内に収容されている電解生成水は順次注出され、この際、貯留タンク１０ｂ内の電解生成水の水位は一気に低下する。このため、貯留タンク１０ｂ内に配設されているフロートスイッチ１５は、貯留タンク１０ｂ内の電解生成水の水位が設定水位Ｌから低下したことを検出（ＯＦＦ動作）し、これを検出信号として制御装置２０ｂに出力する。
【００２２】
これにより、制御装置２０ｂは、電解生成水の生成運転を再開すべく機能し、電解生成水の生成運転が直ちに再開される。この結果、有隔膜電解槽１０ａでは電解生成水が継続して生成され、生成される電解生成水は継続して貯留タンク１０ｂ内に導入される。貯留タンク１０ｂ内では、電解生成水が順次導入されることにより電解生成水の水位が漸次上昇し、電解生成水の水位が設定水位Ｌに達すると、フロートスイッチ１５がＯＮ動作してこれを検出して、これを検出信号として制御装置２０ｂに出力される。このため、制御装置２０ｂは、電解生成水の生成運転を停止すべき機能するが、当該電解水生成装置においては、再開される電解生成水の生成運転の時間を設定しているため、生成運転は設定された時間まで継続される。従って、電解生成水の生成運転は、貯留タンク１０ｂ内の電解生成水の水位が設定水位より所定量上回るまで継続した後に停止する。
【００２３】
当該形式の電解水生成装置においては、貯留タンク１０ｂ内の電解生成水の水位が設定水位Ｌに達する直前では、電解生成水の導入等に起因して波打つ変動状態にあって、必ずしも静粛な状態にはない。貯留タンク１０ｂ内の電解生成水の設定水位Ｌを検出するフロートスイッチ１５は、貯留タンク１０ｂ内の電解生成水の水位が静粛な状態では的確に動作するが、波打つ変動状態ではその動作が不安定となる。この場合、フロートスイッチ１５には不安定な動作状態が発生する。すなわち、フロートスイッチ１５は、電解生成水が設定水位Ｌに達する直前ではＯＮ−ＯＦＦ動作を繰り返し、この結果、制御装置２０ｂは、電解生成水の生成運転の停止および再開を短時間の間に繰り返し行うおそれがある。
【００２４】
これに対して、本発明に係る電解生成水装置においては、上記したように、貯留タンク１０ｂ内の電解生成水の水位が設定水位から低下して再開される電解生成水の生成運転の時間が設定されており、設定時間は、貯留タンク１０ｂ内の電解生成水の水位が設定水位に達し、かつ、電解運転開始初期に生成される不安定な特性の電解生成水に比較して安定した特性の電解生成水の割合が十分多くなるように設定されている。
【００２５】
このため、本発明に係る電解水生成装置においては、このため、貯留タンク１０ｂ内における電解生成水の水位の頻繁な変動に起因する、短時間における繰り返しの電解生成水の生成運転を防止することができ、これにより、一度の再開運転にて貯留タンクに補給される電解生成水を、安定した特性の電解生成水の割合が十分に多くするこができて、貯留タンク１０ｂ内に貯留される電解生成水を、設定された十分な特性の電解生成水とすることができる。
【００２６】
また、従来のこの種形式の電解水生成装置においては、電解生成水の生成運転中に例えば停電等により、電源からの電力の供給が一旦停止されて電解生成水の生成運転が中断した場合、その後の停電の解除等により、電解水生成装置に対する電力の供給が復帰しても、電解生成水の生成運転の指令がない限り、電解生成水の生成運転の復帰はあり得ない。しかしながら、本発明に係る電解水生成装置においては、停電等による電力の供給の停止により中断された電解生成水の生成運転を、停電の解除等による電力の供給の復帰時に合わせて復帰させて、中断された電解生成水の生成運転を設定時間の残りの時間だけ継続するようにしている。このため、当該電解水生成装置によれば、停電等が解除された場合には、ユーザや保守管理者による電解生成水の生成運転の再開操作を要することなく、電解生成水の生成運転を再開して貯留タンク１０ｂ内に電解生成水の補給を行い、貯留タンク１０ｂ内の電解生成水を所定量確保することができる。
【００２７】
図３は、当該電解水生成装置の電解運転時における電解生成水の生成運転状態（状態遷移１）、生成運転の停止状態（状態遷移２）、および、停電状態（状態遷移３）を関連して示す状態遷移図である。当該電解水生成装置は、所望の場所に設置されている状態では、電源が投入されてユーザが使用し得る状態にあり、また、貯留タンク１０ｂ内には、設定された所定量の電解生成水が収容されていて、ユーザが貯留タンク１０ｂ内の電解生成水を採取するのを待機している状態にある。この待機状態は、電解生成水の生成運転が停止されている状態遷移２に相当し、ウオータバルブ２２ａは閉鎖（ＯＦＦ）状態、電磁定量ポンプ２２ｂは非駆動（ＯＦＦ）状態、電極１３ａ，１３ｂは電圧印加停止（ＯＦＦ）状態にある。
【００２８】
当該電解水生成装置において、ユーザが貯留タンク１０ｂに収容されている電解生成水を所望量採取すべく注出操作を行うと、貯留タンク１０ｂ内の電解生成水の水位は設定水位Ｌを一気に下回り、フロートスイッチ１５は動作（ＯＦＦ）してこれを検出し、これを検出信号として制御装置２０ｂに出力する。これにより、制御装置２０ｂは、当該電解水生成装置の状態を状態遷移１の状態に遷移して、電解生成水の生成運転を再開し、有隔膜電解槽１０ａにて継続して生成される電解生成水を、継続して貯留タンク１０ｂ内に導入する。状態遷移１においては、、ウオータバルブ２２ａは開放（ＯＮ）状態、電磁定量ポンプ２２ｂは駆動（ＯＮ）状態、電極１３ａ，１３ｂは電圧印加（ＯＮ）状態にある。
【００２９】
電解生成水の生成運転において、貯留タンク１０ｂ内に導入される電解生成水の導入量が注出量を上回ると、貯留タンク１０ｂ内に収容されている電解生成水の水位が漸次上昇して、電解生成水の水位が設定水位Ｌに達すると、フロートスイッチ１５は動作（ＯＮ）してこれを検出し、これを検出信号として制御装置２０ｂに出力するが、制御装置２０ｂは、電解生成水の生成運転をさらに継続する。当該電解水生成装置では、再開される電解生成水の生成運転の運転時間を、例えば３分間に設定している。このため、制御装置２０ｂは、生成運転が３分経過した時点で、当該電解水生成装置の状態を状態遷移２の状態に遷移させて、電解生成水の生成運転を停止し、電解生成水の貯留タンク１０ｂ内への導入を停止する。
【００３０】
当該電解水生成装置においては、電解生成水の生成運転中や停止中に停電等により、電解水生成装置に対する電力供給が停止され、その後に停電等の解除により、電解水生成装置に対する電力供給が復帰した場合の対策を採っている。図３に示す状態遷移３は、当該電解水生成装置の停電状態における状態である。当該電解水生成装置の電解運転時、停電等が発生して電源がＯＦＦ状態となると、当該電解水生成装置は状態遷移３に移行して電解運転停止状態となる。当該電解水生成装置においては、電解生成水の生成運転中に停電等が発生した場合（電源ＯＦＦ）にあっても、また、電解生成水の生成運転停止中に停電等が発生した場合にあっても同様に状態遷移３に移行し、停電等が解除された場合（電源ＯＮ）には、前者にあっては状態遷移１に復帰する。
【００３１】
従って、特に前者にあっては、停電等で一旦中断した電解生成水の生成運転は、停電の解除に連動して再開される。このため、当該電解水生成装置によれば、停電等が解除された場合には、ユーザや保守管理者による電解生成水の生成運転の再開操作を要することなく、電解生成水の生成運転を再開させることができて、貯留タンク１０ｂ内に収容されている電解生成水を所定量に保持することができる。
【図面の簡単な説明】
【００３２】
【図１】本発明の一実施形態に係る電解水生成装置を概略的に示す模式図である。
【図２】同電解水生成装置が有する制御装置と各電気部品との関係を示すブロック図である。
【図３】同電解水生成装置における電解運転時における、電解生成水の生成運転状態、生成運転停止状態、停電による生成運転停止状態を関連して示す状態遷移図である。
【符号の説明】
【００３３】
１０ａ…有隔膜電解槽、１０ｂ…貯留タンク、１０ｃ…塩水タンク、１１…槽本体、１２…隔膜、１３ａ，１３ｂ…電極、１３ｃ…電源、１３ｄ…電流センサ、１４…タンク本体、１５…フロートスイッチ、１６…抽出パイプ、１６ｂ…開閉バルブ、２０ａ…水系回路、２０ｂ…制御装置、２１ａ…第１供給管路、２１ｂ…第２供給管路、２１ｃ…第３供給管路、２２ａ…ウォータバルブ、２２ｂ…電磁定量ポンプ、２３ａ…第１流出管路、２３ｂ…第２流出管路、Ｒ1，Ｒ2…電解室、Ｌ…設定水位。
【図１】
2006341169.tif 000003
【図２】
2006341169.tif 000004
【図３】
2006341169.tif 000005